(57)【要約】【課題】複数の取得装置それぞれから認証情報を取得可能な画像処理装置において、不具合が生じることを抑制すること。【解決手段】この複合機によれば、内蔵認証デバイスおよび外部認証デバイスの一方を有効化して（Ｓ４、Ｓ８）、カードＩＤの取得元として選定し、取得元と選定された認証デバイスからのカードＩＤに基づくログインの可否を決定する。その一方、取得元と選定されなかった認証デバイスを無効化して（Ｓ５）、当該認証デバイスへの電力供給を停止し、取得元と選定されなかった認証デバイスからのカードＩＤに基づく認証情報に基づくログインの可否を決定しない。これにより、複数の認証デバイスそれぞれからカードＩＤを取得可能な複合機において、不具合が生じることを抑制することができる。【選択図】図２
2015125568.tif 000002
【特許請求の範囲】
【請求項１】
認証情報を取得する内部の取得装置と、
認証情報を取得する外部の取得装置と通信する通信部と、
画像の読取および形成の少なくとも一方を実行する画像処理部と、
制御部と、を備え、
前記制御部は、
前記内部の取得装置および前記外部の取得装置の一方を認証情報の取得元として選定する選定処理と、
取得元と選定された取得装置からの認証情報に基づく前記画像処理部の使用可否の決定を行い、取得元と選定されなかった取得装置からの認証情報に基づく前記画像処理部の使用可否の決定を行わない決定処理と、を実行する、画像処理装置。
【請求項２】
請求項１記載の画像処理装置であって、
前記制御部は、
前記通信部が前記外部の取得装置と通信可能か否かを検出する検出処理、を実行する、画像処理装置。
【請求項３】
請求項２記載の画像処理装置であって、
前記制御部は、
前記選定処理では、前記検出処理において前記通信部が前記外部の取得装置と通信可能であることを検出したことに応じて、前記外部の取得装置を取得元として選定し、前記内部の取得装置を非取得元として選定する、画像処理装置。
【請求項４】
請求項３記載の画像処理装置であって、
前記制御部は、
前記外部の取得装置が取得可能な認証情報の種類と、前記内部の取得装置が取得可能な認証情報の種類とを比較する比較処理、を実行し、
前記選定処理では、前記検出処理において前記通信部が前記外部の取得装置と通信可能であることを検出し、かつ、前記比較処理において前記外部の取得装置が取得可能な認証情報の種類が前記内部の取得装置が取得可能な認証情報の種類を包含していることを検出したことに応じて、前記外部の取得装置を取得元として選定し、前記内部の取得装置を非取得元として選定する、画像処理装置。
【請求項５】
請求項２から請求項４のいずれか一項に記載の画像処理装置であって、
前記制御部は、
前記外部の取得装置からの認証情報に基づいて前記画像処理部の使用を許可している際に、前記検出処理において前記通信部が前記外部の取得装置と通信可能でないことを検出したことに応じて、前記画像処理部の使用を不許可に切り替える切替処理と、を実行する、画像処理装置。
【請求項６】
請求項２から請求項５のいずれか一項に記載の画像処理装置であって、
前記制御部は、
前記選定処理では、前記検出処理において前記通信部が前記外部の取得装置と通信可能でないことを検出したことに応じて、前記内部の取得装置を取得元と選定する、画像処理装置。
【請求項７】
請求項１から請求項６のいずれか一項に記載の画像処理装置であって、
発光部を有し、
前記制御部は、
前記選定処理において前記内部の取得装置が取得元と選定されたことに応じて、前記発光部を点灯させる点灯処理、を実行する、画像処理装置。
【請求項８】
請求項１から請求項７のいずれか一項に記載の画像処理装置であって、
操作部、を備え、
前記制御部は、
前記操作部を用いて前記内部の取得装置および前記外部の取得装置のいずれを取得元として選定するかを示す選定情報を受け付ける受付処理、を実行し、
前記選定処理では、前記受付処理で受け付けた選定情報で選定された取得装置を取得元として選定する、画像処理装置。
【発明の詳細な説明】
【技術分野】
【０００１】
認証情報に基づき画像処理装置の使用を許可するか否かを決定する技術に関する。
【背景技術】
【０００２】
従来から、印刷開始時に所定の認証情報の入力を要求する画像形成装置がある（特許文献１参照）。この画像形成装置は、認証情報を読み取る外付の認証装置が着脱可能である。画像形成装置は、認証装置が装着されており、かつ、認証装置で読み取られた認証情報が予め登録された情報と一致する場合に、情報処理装置に対して画像形成装置への印刷情報の送信を許可し、印刷処理を実行する。
【先行技術文献】
【特許文献】
【０００３】
【特許文献１】特開２００８−２１１６４６号公報
【発明の概要】
【発明が解決しようとする課題】
【０００４】
ところで、画像形成装置などの画像処理装置には、認証装置などの認証情報を取得する取得装置が内蔵されているものがある。このような画像処理装置に対して、更に外付の取得装置が装着されると、例えば、両方の取得装置それぞれから取得した認証情報による認証結果が競合して誤作動を起こすなどの不具合が生じるおそれがある。
【０００５】
本明細書では、複数の取得装置それぞれから認証情報を取得可能な画像処理装置において、不具合が生じることを抑制することが可能な技術を開示する。
【課題を解決するための手段】
【０００６】
本明細書によって開示される画像処理装置は、認証情報を取得する内部の取得装置と、認証情報を取得する外部の取得装置と通信する通信部と、画像の読取および形成の少なくとも一方を実行する画像処理部と、制御部と、を備え、前記制御部は、前記内部の取得装置および前記外部の取得装置の一方を認証情報の取得元として選定する選定処理と、取得元と選定された取得装置からの認証情報に基づく前記画像処理部の使用可否の決定を行い、取得元と選定されなかった取得装置からの認証情報に基づく前記画像処理部の使用可否の決定を行わない決定処理と、を実行する。
【０００７】
この画像処理装置は、内部の取得装置および外部の取得装置の一方を認証情報の取得元として選定し、取得元と選定された取得装置からの認証情報に基づく画像処理部の使用可否の決定を行い、取得元と選定されなかった取得装置からの認証情報に基づく画像処理部の使用可否の決定を行わない。これにより、複数の取得装置それぞれから認証情報を取得可能な画像処理装置において、不具合が生じることを抑制することができる。
【０００８】
上記画像処理装置では、前記制御部は、前記通信部が前記外部の取得装置と通信可能か否かを検出する検出処理、を実行してもよい。この画像処理装置は、通信部が外部の取得装置と通信可能か否かを検出するので、その検出結果から、外部の取得装置から認証情報を取得可能か否かを検出することができる。
【０００９】
上記画像処理装置では、前記制御部は、前記選定処理では、前記検出処理において前記通信部が前記外部の取得装置と通信可能であることを検出したことに応じて、前記外部の取得装置を取得元として選定し、前記内部の取得装置を非取得元として選定してもよい。
【００１０】
この画像処理装置は、通信部が外部の取得装置と通信可能であることを検出したことに応じて外部の取得装置を取得元として選定する。外部の取得装置が通信部と通信可能とされた場合には、外部の取得装置の使用が見込まれるため、それに応じて外部の取得装置を取得元として選定することで、利便性を向上させることができる。
【００１１】
上記画像処理装置では、前記制御部は、前記外部の取得装置が取得可能な認証情報の種類と、前記内部の取得装置が取得可能な認証情報の種類とを比較する比較処理、を実行し、前記選定処理では、前記検出処理において前記通信部が前記外部の取得装置と通信可能であることを検出し、かつ、前記比較処理において前記外部の取得装置が取得可能な認証情報の種類が前記内部の取得装置が取得可能な認証情報の種類を包含していることを検出したことに応じて、前記外部の取得装置を取得元として選定し、前記内部の取得装置を非取得元として選定してもよい。
【００１２】
この画像処理装置は、通信部が外部の取得装置と通信可能であることを検出し、かつ、内部の取得装置で取得可能な全種類の認証情報について、外部の取得装置で取得することができること、すなわち、外部の取得装置が内部の取得装置と同スペック、或は、内部の取得装置よりも高スペックであることを検出したことに応じて外部の取得装置を取得元として選定するので、内部の取得装置よりも低スペックではない外部の取得装置を用いて認証情報を取得することができる。
【００１３】
上記画像処理装置では、前記制御部は、前記外部の取得装置からの認証情報に基づいて前記画像処理部の使用を許可している際に、前記検出処理において前記通信部が前記外部の取得装置と通信可能でないことを検出したことに応じて、前記画像処理部の使用を不許可に切り替える切替処理と、を実行してもよい。
【００１４】
この画像処理装置は、外部の取得装置からの認証情報に基づいて画像処理部の使用を許可している際に、通信部が外部の取得装置と通信可能でないことを検出したこと、すなわち、通信部と外部の取得装置との通信が遮断されたことに応じて画像処理部の使用を不許可に切り替える。外部の取得装置と通信部との通信が遮断された場合には、画像処理部の使用を終了したことが見込まれるため、それに応じて画像処理部の使用を不許可に切り替えることで、利便性を向上させることができる。
【００１５】
上記画像処理装置では、前記制御部は、前記選定処理では、前記検出処理において前記通信部が前記外部の取得装置と通信可能でないことを検出したことに応じて、前記内部の取得装置を取得元と選定してもよい。
【００１６】
この画像処理装置では、通信部が外部の取得装置と通信可能でないことに応じて内部の取得装置を取得元として選定するので、通信部が外部の取得装置と通信可能でない場合に、外部の取得装置が取得元として選定されることを抑制することができる。
【００１７】
上記画像処理装置では、発光部を有し、前記制御部は、前記選定処理において前記内部の取得装置が取得元と選定されたことに応じて、前記発光部を点灯させる点灯処理、を実行してもよい。
【００１８】
この画像処理装置では、内部の取得装置が取得元と選定されたことに応じて、発光部を点灯させるので、使用者は、発光部の点灯により内部の取得装置が取得元として選定されていることを認識することができる。
【００１９】
上記画像処理装置では、操作部、を備え、前記制御部は、前記操作部を用いて前記内部の取得装置および前記外部の取得装置のいずれを取得元として選定するかを示す選定情報を受け付ける受付処理、を実行し、前記選定処理では、前記受付処理で受け付けた選定情報で選定された取得装置を取得元として選定してもよい。
【００２０】
この画像処理装置では、操作部を用いて受け付けられた選定情報に応じて内部の取得装置と外部の取得装置の一方を取得元と選定するので、使用者の意図と異なる取得元が選定されることを抑制することができる。
【発明の効果】
【００２１】
本明細書によって開示される発明によれば、複数の取得装置それぞれから認証情報を取得可能な画像処理装置において、不具合が生じることを抑制することが可能である。
【図面の簡単な説明】
【００２２】
【図１】画像処理システムの概略構成を示すブロック図
【図２】認証デバイス選定処理を示すフローチャート
【図３】ログイン処理を示すフローチャート
【図４】外付認証デバイスを取得元として選定した場合の設定画面を示す図
【図５】ログイン待機画面を示す図
【図６】ホーム画面を示す図
【図７】認証デバイス選定処理を示すフローチャート
【図８】認証デバイス選定処理を示すフローチャート
【図９】ログイン処理を示すフローチャート
【発明を実施するための形態】
【００２３】
一実施形態の複合機１０について図１から図６を参照しつつ説明する。
本実施形態の画像処理システムは、図１に示したように、通信回線５０を介して接続された複合機１０と端末装置４０を備えている。
【００２４】
複合機１０は、画像処理装置の一例であり、スキャン機能に加えて、コピー機能、印刷機能など、複数の機能を実行可能である。複合機１０は、ＣＰＵ１１、ＲＯＭ１２、ＲＡＭ１３、ＮＶＲＡＭ１４、ＡＳＩＣ（Application Specific Integrated Circuit）１５、操作部１７、表示部１８、読取部１９、画像形成部２０、内蔵認証デバイス２１、接続インターフェース（以下、接続Ｉ／Ｆ）２４、及び、ネットワークインターフェース（以下、ネットワークＩ／Ｆ）２５を備える。
【００２５】
ＲＯＭ１２には、複合機１０の動作を制御するための各種のプログラムが記憶されており、各種のプログラムには、例えば、後述する認証デバイス選定処理、ログイン処理等を実行するためのプログラムが含まれる。ＮＶＲＡＭ１４には、後述するユーザ情報６５（図４参照）等が予め記憶されている。ＣＰＵ１１は、ＲＯＭ１２から読み出したプログラムに従って、その処理結果をＲＡＭ１３やＮＶＲＡＭ１４に記憶させながら、複合機１０の各部を制御する。図１に実線１６で示すように、ＣＰＵ１１、ＲＯＭ１２、ＲＡＭ１３、ＮＶＲＡＭ１４、ＡＳＩＣ１５を含めたものが、制御部の一例である。
【００２６】
操作部１７は、複数のボタンを有し、使用者による各種の入力指示を受け付け可能である。表示部１８は、液晶ディスプレイやランプ等を有し、ＣＰＵ１１の制御により様々な画像を表示することが可能である。ネットワークＩ／Ｆ２５は、既述の通信回線５０に接続されており、これにより複合機１０と端末装置４０との間での通信が可能である。
【００２７】
読取部１９は、ＣＰＵ１１の制御により読取原稿上の画像を読み取り、生成した画像データを端末装置４０等に供給する。画像形成部２０は、端末装置４０等から供給された印刷データに基づいてＣＰＵ１１の制御によりシート上に画像を形成する。読取部１９及び画像形成部２０は、それぞれ画像処理部の一例である。
【００２８】
内蔵認証デバイス２１は、複合機１０に内蔵された認証デバイスであり、複合機１０へのログインの可否、つまり、読取部１９及び画像形成部２０の少なくとも一方の使用可否を決定するための認証情報を取得する。内蔵認証デバイス２１は、取得部２２と発光部２３とを有する。取得部２２は、特定の種類の認証情報が取得可能であり、本実施形態では、取得部２２は、ＩＣチップを備えるカード（以下、ＩＣカード）のうち、Ａ種のＩＣカード（以下、Ａ種ＩＣカード）に記録されたカードＩＤを取得可能である。取得部２２は、Ａ種ＩＣカードが所定の読取位置に配置されると、そのＡ種ＩＣカードに記録されているカードＩＤを読み取り、取得したカードＩＤをＣＰＵ１１に送る。発光部２３は、ランプ等を有し、内蔵認証デバイス２１の動作状態等を示すことが可能である。内蔵認証デバイス２１は、内部の取得装置の一例であり、カードＩＤは、認証情報の一例である。
【００２９】
接続Ｉ／Ｆ２４は、無線通信方式または有線通信方式により、外付デバイスと通信を行うためのインターフェースである。本実施形態では、接続Ｉ／Ｆ２４は、接続配線３３によって外付認証デバイス３０に接続され、有線通信方式により外付認証デバイス３０と通信を行うとともに、接続配線３３を介して外付認証デバイス３０に電力を供給する。接続Ｉ／Ｆ２４は、通信部の一例である。
【００３０】
外付認証デバイス３０は、複合機１０に外付け可能な認証デバイスであり、複合機１０の接続Ｉ／Ｆ２４に着脱可能に接続される。外付認証デバイス３０は、接続Ｉ／Ｆ３１と取得部３２とを有する。接続Ｉ／Ｆ３１は、既述の接続配線３３に接続されており、これにより複合機１０と外付認証デバイス３０との間での通信が可能であるとともに、複合機１０から外付認証デバイス３０への電力供給が可能である。外付認証デバイス３０は、外部の取得装置の一例である。
【００３１】
取得部３２は、特定の種類の認証情報が取得可能であり、本実施形態では、ＩＣカードのうち、Ａ種ＩＣカード及びＢ種のＩＣカード（以下、Ｂ種ＩＣカード）に記録されたカードＩＤを取得可能である。取得部３２は、Ａ種ＩＣカード或はＢ種ＩＣカードが所定の読取位置に配置されると、そのＩＣカードに記録されているカードＩＤを読み取り、取得したカードＩＤをＣＰＵ１１に送る。
【００３２】
ＣＰＵ１１は、認証デバイス２１、３０により取得されたカードＩＤを、操作部１７から入力された使用者名及びパスワードと関連付けてユーザ情報６５を設定し、ＮＶＲＡＭ１４に記憶する。ＣＰＵ１１は、後述するログイン処理において、認証デバイス２１、３０により取得されたカードＩＤを、ＮＶＲＡＭ１４に記憶されたユーザ情報６５と照合し、複合機１０へのログインの可否を決定する。
【００３３】
ユーザ情報６５は、表示部１８に表示させて閲覧することができるとともに、端末装置４０からでも閲覧することができる。具体的には、ユーザ情報６５を含む設定画面６０が、表示部１８に表示可能に構成されている。また、端末装置４０からの要求に応じて、端末装置４０の表示部（不図示）にユーザ情報６５を含む設定画面６０が表示可能に構成されている。図４に示すように、本実施形態では、Ａ種ＩＣカードからは８桁数字のカードＩＤが取得可能であり、Ｂ種ＩＣカードからは１６桁数字のカードＩＤが取得可能である。ユーザ情報６５には、Ａ種ＩＣカード又はＢ種ＩＣカードに対応する８桁数字又は１６桁数字のカードＩＤが設定されている。
【００３４】
設定画面６０には、ユーザ情報６５の他に、認証デバイス設定情報６１が表示される。認証デバイス設定情報６１には、認証デバイス状態情報６２、認証デバイス選定情報６３、認証カードタイプ情報６４が含まれる。認証デバイス状態情報６２には、後述する認証デバイス選定処理によって決定される認証デバイスの有効・無効の状態が表示される。
【００３５】
本実施形態では、「有効」とは、電力が供給されている状態を意味し、「無効」とは、電力供給が停止されている状態を意味する。そのため、複合機１０では、有効化された認証デバイスからカードＩＤが取得され、無効化された認証デバイスからカードＩＤが取得されない。従って、認証デバイスが有効化されることは、カードＩＤの「取得元」として選定されたことを意味し、認証デバイスが無効化されることは、カードＩＤの「非取得元」として選定されたことを意味する。
【００３６】
認証カードタイプ情報６４には、取得元として選定された認証デバイスが取得可能なＩＣカードの種類が記載されている。より具体的には、認証カードタイプ情報６４には、取得元として選定された認証デバイスが取得可能である内蔵認証デバイス２１または外付認証デバイス３０で認証情報が取得可能なＩＣカードの種類の一覧を示している。そして、ＣＰＵ１１は、隣接するチェックボックスにチェックが付けられたＩＣカードの種類を、認証対象とするＩＣカードとして扱う。すなわち、図４によれば、ＣＰＵ１１は、取得元として選定されている外付認証デバイス３０が取得可能なＡ種ＩＣカード及びＢ種ＩＣカードは認証対象のＩＣカードとするが、Ｃ種ＩＣカードは外付認証デバイス３０が認証情報を取得可能ではあるものの、認証対象のＩＣカードとして扱わない。
【００３７】
認証デバイス選定情報６３には、認証デバイス選定処理によっていずれの認証デバイスを取得元として選定するかの４つの選択肢が表示されており、その中から１つの選択肢が選定される。認証デバイス選定情報６３において「無効」が選定されている場合、認証デバイス２１、３０のいずれも非取得元と選定される。つまり、認証デバイス２１、３０を用いた複合機１０へのログインが禁止される。「内蔵のみ有効」が選定されている場合、外付認証デバイス３０が接続され、通信可能とされているか否か（以下、接続され、通信可能とされていることを、単に「接続されている」と称す）に関わらず、内蔵認証デバイス２１が取得元と選定され、外付認証デバイス３０が非取得元と選定される。
【００３８】
また、「外付のみ有効」が選定されている場合、外付認証デバイス３０が接続されている場合には、外付認証デバイス３０が取得元と選定され、内蔵認証デバイス２１が非取得元と選定される。一方、外付認証デバイス３０が接続されていない場合には、認証デバイス２１、３０のいずれも非取得元と選定される。「外付優先」が選択されている場合、外付認証デバイス３０が接続されている場合には、外付認証デバイス３０が取得元と選定され、内蔵認証デバイス２１が非取得元と選定される。一方、外付認証デバイス３０が接続されていない場合には、内蔵認証デバイス２１が取得元と選定され、外付認証デバイス３０が非取得元と選定される。
【００３９】
つまり、本実施形態では、認証デバイス選定情報６３のいずれの選択肢が選定された場合でも、認証デバイス２１、３０の両方が取得元と選定されることが禁止されている。設定画面６０に表示された内容のうち、認証デバイス選定情報６３の選択肢の選定内容やユーザ情報６５の内容等は、複合機１０の操作部１７や端末装置の操作部（不図示）から更新して設定可能である。本実施形態では、複合機１０の管理者により、認証デバイス選定情報６３の選択肢のうち、「外付優先」が選択されている。認証デバイス選定情報６３は、選定情報の一例である。
【００４０】
以下、図２から図６を参照して、複合機１０のＣＰＵ１１が実行する認証デバイス選定処理、及び、ログイン処理を説明する。認証デバイス選定処理は、取得元の取得する認証デバイスを決定する処理であり、複合機１０が電源オンされているときに、一定時間毎に実行される。ＣＰＵ１１は、認証デバイス選定処理を開始すると、図２に示すように、まず、認証デバイス選定情報６３において「無効」が選定されているか否かを判断する（Ｓ１）。
【００４１】
ＣＰＵ１１は、「無効」が選定されていると判断した場合（Ｓ１：ＹＥＳ）、いずれの認証デバイス２１、３０も有効化することなく、認証デバイス選定処理を終了する。一方、ＣＰＵ１１は、「無効」以外の選択肢が選定されていると判断した場合（Ｓ１：ＮＯ）、外付認証デバイス３０が接続されているか否かを判断する（Ｓ２）。
【００４２】
具体的には、ＣＰＵ１１は、複合機１０の接続Ｉ／Ｆ２４に外付認証デバイス３０が接続されると、外付認証デバイス３０に電力供給を行い、その後、外付認証デバイス３０に対して型番や外付認証デバイス３０で取得可能なＩＣカードの種類の情報等を外付認証デバイス３０に問い合わせる。ＣＰＵ１１は、外付認証デバイス３０への問い合わせに応じて外付認証デバイス３０から返答があった場合、外付認証デバイス３０が接続されていると判断する。一方、ＣＰＵ１１は、外付認証デバイス３０への問い合わせにも関わらず、外付認証デバイス３０から返答がなかった場合、外付認証デバイス３０が接続されていないと判断する。
【００４３】
ＣＰＵ１１は、外付認証デバイス３０が接続されていると判断した場合（Ｓ２：ＹＥＳ）、次に、認証デバイス選定情報６３において「外付のみ有効」或いは「外付優先」が選定されているか否かを判断する（Ｓ３）。ＣＰＵ１１は、「外付のみ有効」或いは「外付優先」が選定されている場合（Ｓ３：ＹＥＳ）、接続Ｉ／Ｆ２４を介した外付認証デバイス３０への電力供給を継続することにより、外付認証デバイス３０を有効化する（Ｓ４）。また、ＣＰＵ１１は、内蔵認証デバイス２１への電力供給を停止することで、内蔵認証デバイス２１を無効化する（Ｓ５）。また、ＣＰＵ１１は、内蔵認証デバイス２１の発光部２３を消灯させ（Ｓ６）、認証デバイス選定処理を終了する。つまり、ＣＰＵ１１は、外付認証デバイス３０を取得元と選定し、内蔵認証デバイス２１を非取得元と選定する。
【００４４】
一方、ＣＰＵ１１は、外付認証デバイス３０が接続されていないと判断した場合（Ｓ２：ＮＯ）、認証デバイス選定情報６３において「内蔵のみ有効」が選定されているか否かを判断する（Ｓ７）。ＣＰＵ１１は、「外付のみ有効」或いは「外付優先」が選定されていると判断した場合（Ｓ７：ＮＯ）、認証デバイス選定処理を終了する。
【００４５】
ＣＰＵ１１は、「内蔵のみ有効」が選定されていると判断した場合（Ｓ７：ＹＥＳ）、内蔵認証デバイス２１に電力を供給することで、内蔵認証デバイス２１を有効化する（Ｓ８）。また、ＣＰＵ１１は、内蔵認証デバイス２１の発光部２３を点灯させ（Ｓ９）、認証デバイス選定処理を終了する。つまり、ＣＰＵ１１は、内蔵認証デバイス２１を取得元と選定し、外付認証デバイス３０を非取得元と選定する。
【００４６】
また、ＣＰＵ１１は、Ｓ３において「内蔵のみ有効」が選定されていると判断した場合（Ｓ３：ＮＯ）、接続Ｉ／Ｆ２４を介した外付認証デバイス３０への電力供給を停止することにより、外付認証デバイス３０を無効化した後にＳ８、Ｓ９の処理を実行し、認証デバイス選定処理を終了する。つまり、ＣＰＵ１１は、内蔵認証デバイス２１を取得元と選定し、外付認証デバイス３０を非取得元と選定する。
【００４７】
次に、ログイン処理について説明する。ログイン処理は、操作部１７を介して使用者から入力操作が行われた場合に実行される。ＣＰＵ１１は、ログイン処理を開始すると、図５に示すように、まず、ログイン待機画面７０を表示部１８に表示する（Ｓ１２）。図５に示すように、ログイン待機画面７０には、使用者名及びパスワードを入力可能な入力欄７１が設けられている他、使用者名及びパスワードの入力に代えて、認証デバイス２１、３０が利用可能である旨のメッセージ７２が表示されている。
【００４８】
ＣＰＵ１１は、ログイン待機画面７０の表示後、取得元と選定された認証デバイスからのカードＩＤの取得、又は、使用者による入力欄７１への入力を待機する（Ｓ１４：ＮＯ）。
【００４９】
ＣＰＵ１１は、取得元と選定された認証デバイスからカードＩＤが取得され、或は、使用者により入力欄７１に使用者名及びパスワードが入力されると（Ｓ１４：ＹＥＳ）、取得されたカードＩＤ、或は、入力欄７１への入力情報をＮＶＲＡＭ１４に記憶されたユーザ情報６５と照合する（Ｓ１６）。ＣＰＵ１１は、取得されたカードＩＤ、或は、入力欄７１への入力情報がユーザ情報６５と照合一致しない場合（Ｓ１６：ＮＯ）、複合機１０へのログインを許可せず、表示部１８に照合エラー画面を表示し（Ｓ１７）、ログイン処理を終了する。
【００５０】
その一方、ＣＰＵ１１は、取得されたカードＩＤ、或は、入力欄７１への入力情報がユーザ情報６５と照合一致する場合（Ｓ１６：ＹＥＳ）、複合機１０へのログインを許可し、複合機１０を読取部１９及び画像形成部２０を使用可能な状態に切り替えるとともに、図６に示すホーム画面８０を表示部１８に表示する（Ｓ１８）。
【００５１】
尚、非取得元と選定された認証デバイスからはカードＩＤが取得されない。そのため、ＣＰＵ１１は、非取得元と選定された認証デバイスからのカードＩＤをユーザ情報６５と照合することも無ければ、その照合結果に基づいて、読取部１９及び画像形成部２０の使用可否を決定することも無い。
【００５２】
ＣＰＵ１１は、ホーム画面８０の表示後、ホーム画面８０に表示された各種ボタン８１〜８３が選択されるのを待機する（Ｓ２０：ＮＯ、Ｓ２４：ＮＯ、Ｓ２８：ＮＯ）。ホーム画面８０には、「Ｃｏｐｙ」、「Ｓｃａｎ」、「Ｆａｘ」等、読取部１９と画像形成部２０の少なくとも一方を使用した機能が記載された機能ボタン８１が設けられている。ＣＰＵ１１は、使用者によって機能ボタン８１の１つが選択されると（Ｓ２０：ＹＥＳ）、選択されたボタンに係る機能を実行し（Ｓ２２）、Ｓ１８からの処理を繰り返す。
【００５３】
また、ホーム画面８０には、「Ｍｅｎｕ」、「ＵｓｅｒＭｅｎｕ」等、各種設定を行うための設定ボタン８２が設けられている。ＣＰＵ１１は、使用者によって設定ボタン８２の１つが選択されると（Ｓ２０：ＮＯ、Ｓ２４：ＹＥＳ）、表示部１８に設定画面６０を表示する（Ｓ２６）。使用者は、設定画面６０の認証デバイス選定情報６３の選択肢の選定、及び、ユーザ情報６５の内容等を更新設定し、Ｓ１８からの処理を繰り返す。
【００５４】
更に、ホーム画面８０には、複合機１０からログアウトするためのログアウトボタン８３が設けられている。ＣＰＵ１１は、使用者によってログアウトボタン８３が選択されると（Ｓ２０：ＮＯ、Ｓ２４：ＮＯ、Ｓ２８：ＹＥＳ）、ログアウト処理を実行し（Ｓ３０）、ログイン処理を終了する。
【００５５】
上述した本実施形態では、ＣＰＵ１１は、内蔵認証デバイス２１および外付認証デバイス３０の一方をカードＩＤの取得元として選定し、取得元と選定された認証デバイスで取得されたカードＩＤに基づく読取部１９及び画像形成部２０の使用可否の決定を行い、取得元と選定されなかった認証デバイスで取得されたカードＩＤに基づく読取部１９及び画像形成部２０の使用可否の決定を行わない。これにより、例えば、両方の認証デバイス２１、３０で取得されたカードＩＤに基づく読取部１９及び画像形成部２０の使用可否の決定が行われることにより生じる不具合、例えば、両方の認証デバイス２１、３０における使用可否の決定結果が競合して誤作動を起こすなどの不具合が生じることを抑制することができる。
【００５６】
上述した本実施形態では、ＣＰＵ１１は、外付認証デバイス３０が接続されているか否かを判断する（Ｓ２）ので、その判断結果から、外付認証デバイス３０からカードＩＤを取得可能か否かを判断することができる。
【００５７】
上述した本実施形態では、ＣＰＵ１１は、外付認証デバイス３０が接続されていると判断した（Ｓ２：ＹＥＳ）ことに応じて外付認証デバイス３０を取得元と選定する（Ｓ４）。複合機１０に内蔵認証デバイス２１が備えられているにも関わらず外付認証デバイス３０が接続された場合には、外付認証デバイス３０の使用が見込まれるため、それに応じて外付認証デバイス３０を取得元として選定することで、使用者が選定作業を行う必要がなく、複合機１０の利便性を向上させることができる。
【００５８】
上述した本実施形態では、ＣＰＵ１１は、外付認証デバイス３０が接続されていないと判断した（Ｓ２：ＮＯ）ことに応じて内蔵認証デバイス２１を取得元として選定する（Ｓ８）。そのため、外付認証デバイス３０が接続されていない場合に、外付認証デバイス３０が取得元として誤って選定されることを抑制することができる。
【００５９】
上述した本実施形態では、内蔵認証デバイス２１が取得元として選定され（Ｓ８）、内蔵認証デバイス２１に電力が供給されることで、内蔵認証デバイス２１の発光部２３が点灯する（Ｓ９）。そのため、使用者は、発光部２３の点灯により内蔵認証デバイス２１が取得元として選定されていることを認識することができる。
【００６０】
別の実施形態の複合機１０について図７を用いて説明する。本実施形態では、認証デバイス選定処理において、内蔵認証デバイス２１で取得可能なカードＩＤの種類と、外付認証デバイス３０で取得可能なカードＩＤの種類とを比較し、その比較結果によって取得元の認証デバイスを選定する点で、上記の実施形態の複合機１０と異なる。上記比較結果によって取得元の認証デバイスを選定する処理は、認証デバイス選定情報６３において「外付優先」が選定されている場合に実行される。尚、本実施形態では、複合機１０の管理者により、認証デバイス選定情報６３において「外付優先」が選定されている。以下の説明では、上記の実施形態と同一の内容については重複した記載を省略する。
【００６１】
以下、図７を参照して、本実施形態の認証デバイス選定処理を説明する。図７に示すように、ＣＰＵ１１は、認証デバイス選定処理を開始し、接続Ｉ／Ｆ２４を介した外付認証デバイス３０への電力供給を継続することにより、外付認証デバイス３０を有効化すると（Ｓ４）、次に、認証デバイス選定情報６３において「外付優先」が選定されているか否かを判断する（Ｓ３１）。
【００６２】
ＣＰＵ１１は、「外付優先」が選定されている場合（Ｓ３１：ＹＥＳ）、外付認証デバイス３０からの返答から外付認証デバイス３０で取得可能なＩＣカードの種類の情報を取得する（Ｓ３２）。また、ＣＰＵ１１は、内蔵認証デバイス２１で取得可能なＩＣカードの種類の情報を取得する。上記情報は、内蔵認証デバイス２１から取得しても良いし、予めＲＯＭ１２やＮＶＲＡＭ１４に記憶されている場合には、ＲＯＭ１２やＮＶＲＡＭ１４から読み出してもよい。
【００６３】
次に、ＣＰＵ１１は、外付認証デバイス３０で取得可能なＩＣカードの種類と、内蔵認証デバイス２１で取得可能なＩＣカードの種類とを比較する（Ｓ３４）。ＣＰＵ１１は、外付認証デバイス３０で取得可能なＩＣカードの種類に内蔵認証デバイス２１で取得可能なＩＣカードの種類が包含されている場合（Ｓ３４：ＹＥＳ）、内蔵認証デバイス２１への電力供給を停止することで、内蔵認証デバイス２１を無効化する（Ｓ３５）。また、ＣＰＵ１１は、内蔵認証デバイス２１の発光部２３を消灯させ（Ｓ３６）、認証デバイス選定処理を終了する。つまり、ＣＰＵ１１は、外付認証デバイス３０を取得元と選定し、内蔵認証デバイス２１を非取得元と選定する。
【００６４】
また、ＣＰＵ１１は、Ｓ３１において「外付のみ有効」が選定されていると判断した場合（Ｓ３１：ＮＯ）、上記と同様に、Ｓ３５、Ｓ３６の処理を実行し、認証デバイス選定処理を終了する。つまり、ＣＰＵ１１は、外付認証デバイス３０を取得元と選定し、内蔵認証デバイス２１を非取得元と選定する。
【００６５】
その一方、ＣＰＵ１１は、内蔵認証デバイス２１で取得可能なＩＣカードの種類に、外付認証デバイス３０で取得不能なＩＣカードの種類が含まれている場合（Ｓ３４：ＮＯ）、内蔵認証デバイス２１に電力を供給することで、内蔵認証デバイス２１を有効化する（Ｓ３７）。また、ＣＰＵ１１は、内蔵認証デバイス２１の発光部２３を点灯させる（Ｓ３８）。さらに、ＣＰＵ１１は、接続Ｉ／Ｆ２４を介した外付認証デバイス３０への電力供給を停止することで、外付認証デバイス３０を無効化し（Ｓ３９）、認証デバイス選定処理を終了する。つまり、ＣＰＵ１１は、内蔵認証デバイス２１を取得元と選定し、外付認証デバイス３０を非取得元と選定する。
【００６６】
上述した本実施形態では、ＣＰＵ１１は、外付認証デバイス３０が接続されていると判断し（Ｓ２）、かつ、外付認証デバイス３０で取得可能なＩＣカードの種類に内蔵認証デバイス２１で取得可能なＩＣカードの種類が包含されている（Ｓ３４：ＹＥＳ）ことに応じて外付認証デバイス３０を取得元として選定する。
【００６７】
外付認証デバイス３０で取得可能なＩＣカードの種類に内蔵認証デバイス２１で取得可能なＩＣカードの種類が包含されている場合、外付認証デバイス３０は、内蔵認証デバイス２１と同じかそれより多くの種類のＩＣカードからカードＩＤを取得可能であり、外付認証デバイス３０が取得元として選定されれば、内蔵認証デバイス２１からカードＩＤを取得する必要がない。そのため、上記の場合に外付認証デバイス３０を取得元として選定することで、より多くの種類のＩＣカードからカードＩＤを取得することができる。
【００６８】
また、内蔵認証デバイス２１で取得可能なＩＣカードの種類に外付認証デバイス３０で取得不能なＩＣカードの種類が含まれている場合（Ｓ３４：ＮＯ）、内蔵認証デバイス２１を非取得元として選定しないことで、内蔵認証デバイス２１で取得可能であったＩＣカードを保有する使用者が、突然、複合機１０へのログインが許可されない状態となることを防止することができる。
【００６９】
また、別の実施形態の複合機１０について図８、９を用いて説明する。本実施形態では、認証デバイス選定処理中に使用者から認証デバイス選定情報６３の選択肢の選定を受け付け、受け付けた選択肢に従って取得元の認証デバイスを選定する点で、上記の実施形態の複合機１０と異なる。
【００７０】
また、本実施形態では、ログイン処理において、取得元と選定された外付認証デバイス３０から取得されたカードＩＤによってＣＰＵ１１が複合機１０へのログインを許可している状態において、外付認証デバイス３０が複合機１０に接続されていないことを検出した場合に、複合機１０をログアウトする点で、上記の実施形態の複合機１０と異なる。以下の説明では、上記の実施形態と同一の内容については重複した記載を省略する。
【００７１】
以下、図８、９を参照して、本実施形態の認証デバイス選定処理、及び、ログイン処理を説明する。図８に示すように、ＣＰＵ１１は、認証デバイス選定処理を開始すると、まず、認証デバイス選定情報６３の選択肢の選定を受け付ける（Ｓ４０）。ＣＰＵ１１は、操作部１７を介して認証デバイス選定情報６３の選択肢の選定を受け付けると、外付認証デバイス３０が接続されているか否かを判断する（Ｓ２）。
【００７２】
ここで、ＣＰＵ１１が、外付認証デバイス３０が接続されていないと判断した場合（Ｓ２：ＮＯ）、ＣＰＵ１１は、Ｓ４０において「無効」或いは「外付のみ有効」が選定されたか否かを判断する（Ｓ４２）。ＣＰＵ１１は、Ｓ４０において「無効」或いは「外付のみ有効」が選定されたと判断した場合（Ｓ４２：ＹＥＳ）、内蔵認証デバイス２１への電力供給を停止することで、内蔵認証デバイス２１を無効化する（Ｓ４４）。また、ＣＰＵ１１は、内蔵認証デバイス２１の発光部２３を消灯させ（Ｓ４５）、認証デバイス選定処理を終了する。つまり、ＣＰＵ１１は、内蔵認証デバイス２１と外付認証デバイス３０の両方を非取得元と選定する。
【００７３】
その一方、ＣＰＵ１１は、Ｓ４０において「内蔵のみ有効」或いは「外付優先」が選定されたと判断した場合（Ｓ４２：ＮＯ）、内蔵認証デバイス２１に電力を供給することで、内蔵認証デバイス２１を有効化する（Ｓ４６）。また、ＣＰＵ１１は、内蔵認証デバイス２１の発光部２３を点灯させ（Ｓ４８）、認証デバイス選定処理を終了する。つまり、ＣＰＵ１１は、内蔵認証デバイス２１を取得元と選定し、外付認証デバイス３０を非取得元と選定する。
【００７４】
また、ＣＰＵ１１は、外付認証デバイス３０が接続されていると判断した場合（Ｓ２：ＹＥＳ）、次に、Ｓ５０においていずれの選択肢が選定されたか否かを判断する。ＣＰＵ１１は、Ｓ５０において「無効」が選定されたと判断した場合（Ｓ５０：ＹＥＳ）、内蔵認証デバイス２１への電力供給を停止することで、内蔵認証デバイス２１を無効化する（Ｓ５４）。また、ＣＰＵ１１は、内蔵認証デバイス２１の発光部２３を消灯させる（Ｓ５５）。また、ＣＰＵ１１は、接続Ｉ／Ｆ２４を介した外付認証デバイス３０への電力供給を停止することで、外付認証デバイス３０を無効化し（Ｓ５６）、認証デバイス選定処理を終了する。つまり、ＣＰＵ１１は、内蔵認証デバイス２１と外付認証デバイス３０の両方を非取得元と選定する。
【００７５】
その一方、ＣＰＵ１１は、Ｓ５２において「内蔵のみ有効」が選定されたと判断した場合（Ｓ５０：ＮＯ、Ｓ５２：ＹＥＳ）、内蔵認証デバイス２１に電力を供給することで、内蔵認証デバイス２１を有効化する（Ｓ５８）。また、ＣＰＵ１１は、内蔵認証デバイス２１の発光部２３を点灯させる（Ｓ６０）。また、ＣＰＵ１１は、接続Ｉ／Ｆ２４を介した外付認証デバイス３０への電力供給を停止することで、外付認証デバイス３０を無効化し（Ｓ６２）、認証デバイス選定処理を終了する。つまり、ＣＰＵ１１は、内蔵認証デバイス２１を取得元と選定し、外付認証デバイス３０を非取得元と選定する。
【００７６】
また、ＣＰＵ１１は、Ｓ５２において「外付のみ有効」或いは「外付優先」が選定されたと判断した場合（Ｓ５０：ＮＯ、Ｓ５２：ＮＯ）、内蔵認証デバイス２１への電力供給を停止することで、内蔵認証デバイス２１を無効化する（Ｓ６４）。また、ＣＰＵ１１は、内蔵認証デバイス２１の発光部２３を消灯させる（Ｓ６５）。また、ＣＰＵ１１は、接続Ｉ／Ｆ２４を介した外付認証デバイス３０への電力供給を継続することにより、外付認証デバイス３０を有効化し（Ｓ６６）、認証デバイス選定処理を終了する。つまり、ＣＰＵ１１は、外付認証デバイス３０を取得元と選定し、内蔵認証デバイス２１を非取得元と選定する。
【００７７】
次に、ログイン処理について説明する。図９に示すように、ＣＰＵ１１は、ログイン処理において、取得元と選定された認証デバイスから取得されたカードＩＤ、或は、使用者により入力された入力欄７１への入力情報により複合機１０へのログインを許可すると、表示部１８にホーム画面８０を表示する（Ｓ１８）。ＣＰＵ１１は、ホーム画面８０の表示後、ホーム画面８０に表示された各種ボタン８１〜８３が選択されるのを待機する（Ｓ２０：ＮＯ、Ｓ２４：ＮＯ、Ｓ２８：ＮＯ）とともに、外付認証デバイス３０が接続されているか否かを判断する（Ｓ７０）。
【００７８】
ＣＰＵ１１は、外付認証デバイス３０が接続されていると判断した場合（Ｓ７０：ＹＥＳ）、Ｓ１８からの処理を繰り返す。その一方、ＣＰＵ１１は、外付認証デバイス３０が接続されていないと判断した場合（Ｓ７０：ＮＯ）、次に、いずれの認証デバイスが取得元と選定されているかを判断する（Ｓ７２）。ＣＰＵ１１は、内蔵認証デバイス２１が取得元と選定されていると判断した場合（Ｓ７２：ＮＯ）、つまり、内蔵認証デバイス２１から取得されたカードＩＤにより複合機１０へのログインが許可されている場合、Ｓ１８からの処理を繰り返す。
【００７９】
その一方、ＣＰＵ１１は、外付認証デバイス３０が取得元と選定されていると判断した場合（Ｓ７２：ＹＥＳ）、つまり、外付認証デバイス３０から取得されたカードＩＤにより複合機１０へのログインが許可されている場合、ログアウト処理を実行し（Ｓ３０）、ログイン処理を終了する。
【００８０】
上述した本実施形態では、使用者が選定した（Ｓ４０）認証デバイス選定情報６３の選択肢に応じて内蔵認証デバイス２１と外付認証デバイス３０の一方を取得元と選定するので、使用者の意図と異なる取得元が選定されることを抑制することができる。
【００８１】
上述した本実施形態では、外付認証デバイス３０から取得されたカードＩＤにより複合機１０へのログインが許可され（Ｓ１６：ＹＥＳ）、かつ、外付認証デバイス３０が接続されていないと判断された（Ｓ７０：ＮＯ）こと、すなわち、外付認証デバイス３０との接続が遮断されたことに応じてログアウト処理（Ｓ３０）を実行し、読取部１９及び画像形成部２０を使用不能な状態に切り替える。外付認証デバイス３０との通信が遮断された場合には、読取部１９及び画像形成部２０の使用を終了したことが見込まれるため、それに応じて読取部１９及び画像形成部２０の使用を使用不能な状態に切り替えることで、利便性を向上させることができる。
【００８２】
また、使用者が読取部１９及び画像形成部２０の使用を終了した際に、複合機１０から外付認証デバイス３０を取り外したが、複合機１０をログアウトすることを忘れてしまった場合に、その後の使用者であって、複合機１０へのログインが許可されない使用者により、読取部１９及び画像形成部２０が無断で使用されることを抑制することができる。
【００８３】
本明細書で開示される技術は上記記述及び図面によって説明した実施形態に限定されるものではなく、例えば次のような種々の態様も含まれる。
【００８４】
「画像処理装置」は、複合機に限らず、例えば、スキャン機能のみを備えた画像読取装置や、印刷機能のみを備えた画像形成装置であってもよい。
【００８５】
「取得装置」は、ＩＣカードに記録されたカードＩＤを取得するカード認証タイプの装置に限らず、指紋、網膜、静脈等の生体認証タイプの装置であってもよい。生体認証タイプの装置の場合、「認証情報」は、指紋画像、網膜の毛細血管画像、静脈血管画像等となる。
【００８６】
「内部の取得装置」と「外部の取得装置」は、必ずしも同一の認証タイプの装置である必要はなく、異なる認証タイプの装置であってもよい。
【００８７】
「制御部」は、１つのＣＰＵ１１により図２等の各処理を実行する構成であった。しかし、これに限らず、例えば、制御部は、複数のＣＰＵにより図２等の各処理を実行する構成、ＡＳＩＣ１５などの専用のハード回路のみにより図２等の各処理を実行する構成や、ＣＰＵおよびハード回路により図２等の各処理を実行する構成でもよい。
【００８８】
上記実施形態では、ＣＰＵ１１が、認証デバイス２１、３０により取得されたカードＩＤである認証情報をユーザ情報６５である照合情報と比較する処理を行ったが、これに限らず、例えば、各認証デバイス２１、３０が当該認証デバイスにより取得された認証情報を照合情報と比較し、その比較結果をＲＡＭ１３に送付してもよい。ＣＰＵ１１は、認証デバイス２１、３０から送付された比較結果に基づいて複合機１０へのログインの可否を決定する。この場合、照合情報は、各認証デバイス２１、３０に記憶されていてもよい。
【００８９】
上記実施形態では、認証デバイス選定処理において、ＣＰＵ１１が、有効化した認証デバイスに電力を供給し、無効化した認証デバイスへの電力供給を停止する処理を実行していたが、これに限らず、例えば、ＣＰＵ１１は、有効化した認証デバイスから認証情報を取得するようにし、無効化した認証デバイスから認証情報を受け付けない処理を実行してもよい。上記の例で示した処理によっても、ＣＰＵ１１は、非取得元と選定された認証デバイスからのカードＩＤをユーザ情報６５と照合することも無ければ、その照合結果に基づいて、読取部１９及び画像形成部２０の使用可否を決定することも無い。但し、無効化した認証デバイスへの電力供給を停止することで、複合機１０の電力消費を抑制することができる。
【００９０】
上記実施形態では、ログイン処理において、ＣＰＵ１１が、認証デバイス２１、３０により取得された認証情報により複合機１０へのログイン、つまり、読取部１９及び画像形成部２０を用いた全機能の使用可否を決定していたが、使用可否が決定される機能は、読取部１９及び画像形成部２０を用いた特定の機能に限定されていてもよい。
【００９１】
図４では、外付認証デバイス３０を取得元として選定した場合の設定画面であるため、認証カードタイプ情報６４では、Ａ種ＩＣカードとＢ種ＩＣカードの両方が取得可能なＩＣカードの種類として記載され、ユーザ情報６５では、Ａ種ＩＣカード又はＢ種ＩＣカードに対応する８桁数字又は１６桁数字のカードＩＤが表示されていた。
【００９２】
一方、内蔵認証デバイス２１を取得元として選定した場合、認証カードタイプ情報６４では、Ａ種ＩＣカードが取得可能なＩＣカードの種類として記載されることから、ユーザ情報６５では、Ａ種ＩＣカードに対応する８桁数字のカードＩＤのみが表示され、Ｂ種ＩＣカードに対応する１６桁数字のカードＩＤはグレーアウトなど、表示がされない状態として、Ｂ種ＩＣカードが使用できない状態であることを示してもよい。
【符号の説明】
【００９３】
２１：  内蔵認証デバイス、２２：  取得部、２３：  発光部、３０：  外付認証デバイス、３１：  接続Ｉ／Ｆ、３２：  取得部、６０：  設定画面、６１：  認証デバイス設定情報、６２：  認証デバイス状態情報、６３：  認証デバイス選定情報、６４：  認証カードタイプ情報、６５：  ユーザ情報
【図１】
2015125568.tif 000003
【図２】
2015125568.tif 000004
【図３】
2015125568.tif 000005
【図４】
2015125568.tif 000006
【図５】
2015125568.tif 000007
【図６】
2015125568.tif 000008
【図７】
2015125568.tif 000009
【図８】
2015125568.tif 000010
【図９】
2015125568.tif 000011